(57)【要約】【課題】  ペンタミラーやシャッターブロックにおける信頼性を向上するとともに被写体像の視野率を改善した一眼レフカメラのファインダ装置を提供する。【解決手段】  撮影レンズによりピントガラス６に結像した被写体像をペンタミラー７を通して接眼光学系８に導くとともに、表示ブロック２の表示面に表示した表示画像を表示プリズム９を通してペンタミラー７内に導き、被写体像と表示画像を接眼光学系８のファインダ視野内に表示させる一眼レフカメラであって、表示ブロック２の表示面をペンタミラー７の入射面と垂直な方向に対して入射面側に傾斜させる。表示プリズム９が表示画像をペンタミラー７の入射面に対して偏向させる偏向角θｔ１を大きくし、表示プリズム９の反射面の角度θ１を大きくし、表示プリズム９の出射面がペンタミラー７の光軸中心方向に向けて突出する寸法を小さくでき、ファインダ視野内における被写体像の視野率を増大する。【選択図】  図５
2006337782.tif 000002
【特許請求の範囲】
【請求項１】
撮影レンズによりピントガラスに結像した被写体像をペンタプリズムやペンタミラー（以下、ペンタミラー等と称する）を通して接眼光学系に導くとともに、表示ブロックの表示面に表示した表示画像を表示プリズムを通して前記ペンタミラー等内に導き、前記被写体像と表示画像を前記接眼光学系のファインダ視野内に表示させる一眼レフカメラであって、前記表示ブロックの前記表示面を前記ペンタミラー等の入射面と垂直な方向に対して当該入射面側に傾斜させたことを特徴とする一眼レフカメラのファインダ装置。
【請求項２】
前記表示ブロックの前記表示面と前記ペンタミラー等の入射面とのなす角度を直角よりも小さい角度に設定していることを特徴とする請求項１に記載の一眼レフカメラのファインダ装置。
【請求項３】
前記表示ブロックの前記表示面と前記ペンタミラー等の入射面とのなす角度を６５°ないし８５°の角度に設定していることを特徴とする請求項２に記載の一眼レフカメラのファインダ装置。
【請求項４】
前記表示ブロックはカメラのミラーボックスに固定するための固定片を備え、前記固定片の固定面は前記ペンタミラー等の入射面と垂直な方向に向けられていることを特徴とする請求項１ないし３のいずれかに記載の一眼レフカメラのファインダ装置。
【請求項５】
前記表示プリズムは前記表示ブロックと前記ペンタミラー等の間に配設され、入射面、反射面、出射面の３つの側面を有する三角柱状に形成され、前記表示ブロックの表示画像を入射面に入射し、反射面で反射して出射面から前記ペンタミラー等の入射面に入射させることを特徴とする請求項１ないし４のいずれかに記載の一眼レフカメラのファインダ装置。
【請求項６】
前記表示ブロックは前記ペンタミラー等とシャッターブロックとの間に介在され、前記シャッターブロックには表示ブロックとの干渉を避けるためのテーパ状の凹部が形成されていることを特徴とする請求項１ないし５のいずれかに記載の一眼レフカメラのファインダ装置。
【請求項７】
前記ペンタミラー等は内面を反射面処理した樹脂製のペンタミラーで構成され、前記表示ブロックは前記ペンタミラーとシャッターブロックとの間に介在され、前記ペンタミラーには表示ブロックとの干渉を避けるためのテーパ状の凹部が形成されていることを特徴とする請求項１ないし５のいずれかに記載の一眼レフカメラのファインダ装置。
【請求項８】
前記被写体像をＣＣＤ素子、ＣＭＯＳ素子等の撮像素子で撮影することを特徴とする請求項１ないし７のいずれかに記載の一眼レフカメラのファインダ装置。
【請求項９】
前記被写体像を感光フィルムで撮影することを特徴とする請求項１ないし７のいずれかに記載の一眼レフカメラのファインダ装置。
【発明の詳細な説明】
【技術分野】
【０００１】
本発明は一眼レフカメラのファインダ装置に関し、特にファインダ視野内に撮影情報等の表示を行うための表示装置を備えるファインダ装置に関するものである。
【背景技術】
【０００２】
一眼レフカメラは撮影レンズで結像した被写体像を銀塩フィルに露光し、あるいはＣＣＤやＣＭＯＳ等の撮像素子で撮像するが、当該被写体像をメインミラーにより反射してピントガラスに結像し、当該結像した被写体像をファインダ装置で拡大して撮影者が観察する。ピントガラスに結像された被写体像はペンタプリズムやペンタミラー（以下、ペンタミラー等と称する）により正立像とされ、撮影者は接眼レンズによって拡大して観察する。また、従来からファインダ装置のファインダ視野内には当該被写体像と共に絞り値やシャッタ速度等の情報を表示させている。これらの情報を表示するための表示画像はＬＣＤ（液晶表示装置）やその他の光学素子からなる表示装置で形成し、この表示装置に表示される情報の表示像をペンタプリズム等に対して光学的に結合し、結合した表示をファインダ視野内に表示させている。
【０００３】
このような表示画像の表示を行うために従来のファインダ装置では、図７にカメラ内部構体の一部の断面構造を示すように、ミラーボックス１の背後に表示ブロック２を配設し、当該表示ブロック２の表示面とペンタミラー７の入射面との間にほぼ三角柱状をした表示プリズム９Ａをホルダ６２によって保持し、表示面に表示した表示画像を表示プリズム９Ａを通してペンタミラー７の内部に導く構成をとっている。すなわち、表示プリズム９Ａは三角柱を構成する３つの側面のうち、鉛直の側面を表示ブロック２の表示面に対向させて入射面とし、他の１つの側面をペンタミラー７の入射面に対向させて出射面とし、これら両側面に挟まれた傾斜面を反射面として構成している。このように構成することで表示ブロック２に表示された表示画像は入射面からから表示プリズム９Ａ内に入り、反射面で内部反射され、出射面から出射してペンタミラー７に入射される。また、ペンタミラー７には図には表れない撮影レンズを通した被写体光束をメインミラー５で反射してピントガラス６に結像した被写体像も入射されており、これらの表示画像と被写体像はペンタミラー７により正立画像とされて接眼光学系８により撮影者によって観察される。接眼光学系８では表示画像と被写体像は等価な光軸位置（アイポイント）に結像されるため、撮影者は被写体像と表示画像を同時に観察することが可能になる。図６（ａ）に示すように、ファインダ視野内には被写体像を表示させる被写体枠１０１と、この被写体枠１０１の下側に横に細長く表示枠１０２とがファインダ視野枠板１０によって区画されており、表示枠１０２内に表示ブロック２で表示された表示画像を表示するようになっている。ここで被写体枠１０１は表示プリズム９Ａを透過した光による影響を受けないように下縁の位置を表示プリズム９Ａに対応する領域を除く領域に配設されている。
【０００４】
図７に示したように従来のカメラでは、表示ブロック２は表示を行う表示面が鉛直方向（撮影レンズの光軸を水平方向に向けた状態を基準とする）に向けられてペンタミラー７の入射面に対して角度θｉ２で配置されている。この角度θｉ２はここでは直角である。そのため、接眼光学系８において表示画像と被写体像との光軸上の結像位置を一致させるために表示画像をペンタミラー７の入射面に対して所要の入射角度で入射させる際には、表示プリズム９Ａは表示画像の光軸を角度θｔ２だけ偏向させなければならず、表示プリズム９Ａの反射面の角度を出射面に対してθｔ２／２の角度となるように設定する必要がある。前記偏向角θｔ２はほぼ９０°であるため、表示プリズム９Ａの反射面と出射面との角度θ２はほぼ４５°程度となり、その結果表示プリズム９Ａの出射面の水平方向の長さが長くなってペンタミラー７の入射面の中心方向（図７の左方向）に向けて進出する寸法が大きくなる。図６（ａ）に示したように、ファインダ視野内における被写体枠１０１は表示プリズム９Ａと干渉しない領域に限定しているためファインダ視野内における被写体枠１０１の高さ方向の寸法Ｌ２に制限を受け、被写体の視野率（ファインダ装置の全視野に対する被写体像の視野面積）が小さくなるという問題がある。
【０００５】
また、図７に示したように、表示ブロック２の背後に配設しているシャッターブロック３は表示ブロック２と干渉しないように、表示ブロック２に対向される前面上部に断面が矩形の凹部３４Ａを設けている。同様に表示ブロック２の前側に配設しているペンタミラー２の背面下部に断面が矩形の凹部７３Ａを形成している。そのため、凹部３４Ａを形成した部分においてシャッターブロック３の肉厚が低減され、また凹部７３Ａを形成した部分においてペンタミラー７の肉厚が低減され、これらシャッターブロック３やペンタミラー７の機械的な強度が低下し、これらの信頼性が低下するという問題がある。特にペンタミラー７は樹脂成型によって製造しているため、凹部７３Ａにより肉厚が薄くなると変形されやすくなり、この変形はそのままファインダ視野内における被写体像の歪みにつながることになる。また、シャッターブロック３に凹部３４Ａを形成しないようにするためにシャッターブロック３を後方に下げて配置するとカメラの前後方向の寸法が大きくなる。特にデジタル一眼レフカメラではシャッターブロック３の背後にローパスフィルタを配設する必要があるため、当該寸法の増大は顕著なものとなり、カメラの小型化を図る上での障害になる。
【０００６】
これらの問題のうち視野率の低下を解消するために特許文献１ではペンタプリズムの背後に透光素子を配設し、表示ブロックの表示画像を表示プリズムから透光素子を通してペンタプリズム内に入射させることで表示プリズムの出射面がペンタプリズムの入射面に向けて進出することを抑制し、被写体枠を可及的に大きくして視野率が低下することを防止している。
【特許文献１】特開２０００−２２１５６８号公報
【発明の開示】
【発明が解決しようとする課題】
【０００７】
特許文献１の技術はペンタプリズムを備えるカメラには有効であるが、ペンタミラーを用いたカメラでは表示画像を透光素子からペンタミラーへ導き入れることは困難であり、実際に適用することは難しい。また、特許文献１の技術は視野率の改善には有効であるが、シャッターブロックやペンタミラーの強度が低下するという問題やカメラの小型化の障害になるという問題を解消することは困難である。さらに、ペンタプリズムの背後に別部材の透光素子を配設しているため部品点数及び組み立て工数が増加するとともに、接眼光学系に透光素子が介在されるため接眼光学系の設計変更が必要になる。
【０００８】
本発明の目的は、ペンタミラー等やシャッターブロックにおける信頼性を向上するとともに、カメラ寸法の増大を生じることなくファインダ視野内における被写体像の視野率を改善した一眼レフカメラのファインダ装置を提供するものである。
【課題を解決するための手段】
【０００９】
本発明は、撮影レンズによりピントガラスに結像した被写体像をペンタミラー等を通して接眼光学系に導くとともに、表示ブロックの表示面に表示した表示画像を表示プリズムを通してペンタミラー等内に導き、被写体像と表示画像を接眼光学系のファインダ視野内に表示させる一眼レフカメラであって、表示ブロックの表示面をペンタミラー等の入射面と垂直な方向に対して当該入射面側に傾斜させる。例えば、表示ブロックの前記表示面と前記ペンタミラー等の入射面とのなす角度を直角よりも小さい角度とし、好ましくは６５°ないし８５°の角度に設定する。その一方で、表示ブロックはカメラのミラーボックスに固定するための固定片を備え、当該固定片の固定面はペンタミラー等の入射面と垂直な方向に向けられることが好ましい。また、本発明においては、表示プリズムは表示ブロックとペンタミラー等の間に配設され、入射面、反射面、出射面の３つの側面を有する三角柱状に形成され、表示ブロックの表示画像を入射面に入射し、反射面で反射して出射面からペンタミラー等の入射面に入射させる構成とする。
【００１０】
本発明において、表示ブロックはペンタミラー等とシャッターブロックとの間に介在され、シャッターブロックには表示ブロックとの干渉を避けるためのテーパ状の凹部が形成される。また、ペンタミラー等は内面を反射面処理した樹脂製のペンタミラーで構成し、表示ブロックはペンタミラーとシャッターブロックとの間に介在され、ペンタミラーには表示ブロックとの干渉を避けるためのテーパ状の凹部が形成される。
【発明の効果】
【００１１】
本発明によれば、表示ブロックの表示面はペンタミラー等の入射面と垂直な方向に対して入射面側に傾斜されているので、表示プリズムが表示ブロックの表示画像をペンタミラー等の入射面に対して偏向させる偏向角を大きくし、表示プリズムの反射面の角度を大きくする。そのため、表示プリズムの出射面がペンタミラー等の光軸中心方向に向けて突出する寸法を小さくでき、ファインダ視野内における被写体枠を拡張でき、ファインダ視野率を増大させることができる。
【００１２】
また、表示ブロックの表示面を傾斜させることで、シャッターブロックの前面上部やペンタミラーの背面下部に設ける凹部をテーパ状にでき、これら角部の肉厚の低減を防いでシャッターブロックやペンタミラーの機械的な強度を確保し、これらの信頼性を向上する。同時に表示ブロックやシャッターブロックをカメラの後方に移動させる必要もなく、カメラの前後方向の寸法が増大することを防いでカメラの小型化を図る上でも有利になる。
【実施例１】
【００１３】
次に、本発明の実施例を図面を参照して説明する。図１は本発明を適用した一眼レフカメラの内部に設けられるカメラ内部構体の主要部の正面図、図２はそのＡ−Ａ線断面図、図３は分解斜視図である。この実施例では前記カメラ内部構体としてミラーボックス１と、表示ブロック２と、シャッターブロック３を図示しており、ミラーボックス１の背後の上部に前記表示ブロック２が取着され、さらにその背後から前記シャッターブロック３が一体的に取着されている。なお、本実施例ではデジタル一眼レフカメラの例を示しているが、フィルム式一眼レフカメラについてもこれらの構成は同じである。
【００１４】
前記ミラーボックス１にはレンズマウント４、メインミラー５、ピントガラス６、ペンタミラー７、接眼光学系８が組み込まれている。前記レンズマウント４はミラーボックス１の前面に固定されており、図には表れない撮影レンズが装着される。前記メインミラー５はミラーボックス１内で上下方向に傾動可能に支持され、上動したときに撮影レンズを通した被写体光束をシャッターブロック３のアパーチャ３１を通して図には表れないＣＣＤ素子やＭＯＳ素子等の撮像素子の受光面に結像する。あるいは、フィルム式一眼レフカメラの場合には図には表れない感光フィルムの感光面に結像する。また、下動位置にあるときに撮影レンズを通した被写体光束を上方に向けて反射し、ミラーボックス１の上部に水平に保持されたピントガラス６に被写体像を結像する。前記ペンタミラー７はピントガラス６に結像した被写体像の光束を下側の入射面から内部に導き、左右の傾斜したダハ面７１と前側の反射面７２で順次反射して正立像として変換する。ここではペンタミラー７は樹脂成型により形成し、その内面を光反射面となるように表面処理している。ペンタミラーはルーフミラーとも称することもあるがここではペンタミラーと称している。接眼光学系８は図には表れない複数のレンズで構成されており、ペンタミラー７によって正立像とされた被写体像を拡大し、撮影者の視度に合わせた光軸上の位置に結像させる。
【００１５】
図４は前記カメラ内部構体の部分分解斜視図であり、メインミラー５が内装されているミラーボックス１の上面枠の上にピントガラス押さえ板６１が水平状態に載置され、その上に前記ピントガラス６が載置される。また、ミラーボックス１の背面枠の上部に詳細を後述する表示プリズム９を一体的に支持したピントガラス押さえホルダ６２がネジ６３により固定され、前記ピントガラス押さえ板６１とこのピントガラス押さえホルダ６２とで前記ピントガラス６を前記上部枠に固定する。ピントガラス６上にはファインダ視野枠板１０が載置される。ファインダ視野枠板１０は、被写体像を表示するための被写体枠１０１と、この被写体枠１０１の下側に横に細長く形成されて表示ブロック２の表示画像を表示するための表示枠１０２とが形成されている。さらにその上に前記ペンタミラー７が載置され、図には表れないペンタプリズム保護枠等によってミラーボックス１上に支持される。
【００１６】
図５は前記表示ブロック２、シャッターブロック３、表示プリズム９等の詳細を示す拡大断面図である。前記ピントガラス押さえホルダ６２の背後の前記ミラーボックス１の背面枠には前記表示プリズム９に対向するように前記表示ブロック２が固定される。表示ブロック２は横に長い細幅のケーシング２１内にＬＣＤ（液晶）素子２２が内装されている。ＬＣＤ素子２２は図には表れない制御回路によって制御され、所要の文字、記号等の情報を示す表示画像が生成され、この表示画像を表示面としての前面に表示する。また、図３及び図４に示したように、表示ブロック２はケーシング２１の両端が固定片２３として両側に突出され、この固定片２３においてネジ２４により前記ミラーボックス１への取着が行われる。前記固定片２３はミラーボックス１の鉛直方向に沿って延長される背面枠に対応して垂直方向に沿った面として構成されているが、図５に示すようにＬＣＤ素子２２の前面、すなわち表示面が若干角度だけ上方に向けて傾斜されている。この傾斜角は当該背面枠に対して５°から２５°の範囲であり、ここでは１０°に設定している。
【００１７】
図３に示したように、前記表示ブロック２の背後にはシャッターブロック３が図には表れないネジにより前記ミラーボックス１の背面枠に固定される。シャッターブロック３は矩形をしたアパーチャ３１内にシャッター羽根３２を内装した偏平な板状に形成されており、その一側部に設けた駆動機構３３によりシャッター羽根３２を動作してアパーチャ３１を開閉するものである。
【００１８】
また、図４に示したように、前記ミラーボックス１の上面枠の背面には複数のレンズで構成された接眼光学系８がネジ８１により固定される。この接眼光学系８はピントガラス６に結像した被写体像と、前記表示ブロック２の表示画像とを同じファインダ視野内において撮影者が拡大して観察することを可能とするものである。
【００１９】
図５に示したように、前記ピントガラス押さえホルダ６２の背面上部にはカメラの前方に向けて傾斜したプリズム収納部６２ａが形成され、このプリズム収納部６２ａ内に前記表示プリズム９が収納されている。表示プリズム９は断面形状が三角形をした横向きの三角柱状に形成され、入射面を背後方向に向け、出射面を上方向に向けて反射面を前記プリズム収納部６２ａに密接した状態で収納されている。また、前記ピントガラス押さえホルダ６２の背面６２ｂは表示プリズム９の入射面と同一面となるように後方に向けて下向きに傾斜されており、前記表示ブロック２は両側の固定片２３によってミラーボックス１の背面枠に取着されたときに表示ブロック２の表示面が当該ピントガラス押さえホルダ６２の傾斜した背面６２ｂに接するように傾斜した状態で取着されることになる。また、このとき表示ブロック２の表示面は前記表示プリズム９の入射面に対向配置されるが、当該表示面とペンタミラー７の入射面とがなす角度θｉ１が直角よりも小さい６５°から８５°の範囲の角度となるようにペンタミラー７の入射面に垂直な方向に対して入射面側に向けて傾斜した状態で配設されることになる。ここでは表示ブロック２の表示面は前述のように傾斜角を１０°としているので前記角度θｉ１は８０°となる。
【００２０】
なお、表示ブロック２の上部は前記ペンタミラー７の背面の下部に対向位置されるが、表示ブロック２を傾斜させることで、両者の干渉を防ぐためにペンタミラー７の当該背面の下部には表示ブロック２の傾斜に沿ったテーパ状の凹部７３が形成されている。また、同時に前記シャッターブロック３の前面の上部は前記表示ブロック２に対向位置されるが、表示ブロック２との干渉を防ぐために当該前面の上部には表示ブロック２の傾斜に沿ったテーパ状の凹部３４が形成されている。
【００２１】
以上のカメラ内部構体を備えた一眼レフカメラでは、メインミラー５が下動位置にあるときには、撮影レンズを通った被写体光束はメインミラー５により上方に向けて反射され、ピントガラス６に被写体像が結像される。ピントガラス６に結像した被写体像はファインダ視野枠１０の被写体枠１０１を通してペンタミラー７の下側の入射面から導入され、ペンタミラー７の内面での反射により正立像に変換され、さらに接眼光学系８により撮影者の視度に合わせた光軸上の位置に結像される。これと同時に、表示ブロック２の表示面に表示された表示画像は表示プリズム９の入射面から内部に入射され、反射面で反射された後、出射面から出射され、ファインダ視野枠板１０の表示枠１０２を通してペンタミラー７の入射面から導入され、被写体像と同様に正立像となり接眼光学系８に入射される。このとき、表示ブロック２の表示面からペンタミラー７の入射面までの光路長、換言すれば表示画像が表示プリズム９の入射面から出射面に達するまでの光路長は表示プリズム９の屈折率ｎによって１／ｎに短縮されるので、表示ブロック２の表示面はピントガラス６と等価な光軸位置となる。そのため、図２に鎖線で結像光路を仮想的に示すように、被写体像と表示画像は接眼光学系８により同じ光軸上の位置（アイポイント）ＥＰに結像されることになり、撮影者はファインダ視野内において同一視度でファインダ視野枠板１０の被写体枠１０１内に被写体像を観察し、表示枠１０２内に表示画像を観察することが可能になる。
【００２２】
前記表示ブロック２の表示面はペンタミラー７の入射面と垂直な方向に対して内側に傾斜され、表示面とペンタミラー７の入射面とがなす角度は直角よりも小さい８０°に設定しているので、表示プリズム９が表示ブロック２の表示画像をペンタミラー７の入射面に対して偏向させる偏向角θｔ１、すなわち表示画像を被写体像と同じ光軸上のアイポイントに結像させるために表示画像の光軸方向を偏向させるための角度は従来の偏向角度θｔ２（図７参照）に比較して大きくなる。そのため表示プリズム９の反射面と出射面との間の角θ１を従来の表示プリズムの角度θ２（図７参照）よりも大きくした三角形の断面形状に設計でき、出射面がペンタミラー７の光軸中心方向に向けて突出する寸法を小さくできる。これにより、図６（ｂ）に示すように、ファインダ視野内において表示プリズム９がペンタミラー７の入射面の中心方向（図５の左方向）に向けて進出する寸法が小さくでき、ファインダ視野枠板１０における被写体枠１０１の下縁の高さ位置を下方にまで拡張して被写体枠１０１の高さ寸法Ｌ１を従来の高さ寸法Ｌ２よりも拡大し、ファインダ視野率を増大させることができる。
【００２３】
また、表示ブロック２においては固定片２３におけるミラーボックス１への取着位置を上下に位置調整することで、表示面は傾斜角度を保持したまま表示プリズム９の入射面に対して垂直方向及び平行方向の位置調整が可能であり、この位置調整によって表示の微細な焦点調整とファインダ視野枠板１０の表示枠１０２内における上下方向の位置調整を行うことが可能になる。
【００２４】
また、前述のように表示ブロック２の表示面を傾斜させることで、表示ブロック２の下部が前方に変位されるため、シャッターブロック３の前面上部の凹部３４をテーパ状に形成でき、従来のように表示ブロックとの干渉を避けるために表示ブロックの高さ寸法にほぼ等しい領域に矩形の凹部を形成する必要はなく、シャッターブロック３の上部領域における厚さ寸法の低減が防止でき、シャッターブロック３の機械的な強度低下が防止できる。同時に表示ブロック２を傾斜することで表示ブロック２の上部を前方に位置移動させる必要がなく、また場合によっては当該上部を従来よりも後方に位置させることができるので、ペンタミラー７の背面下部の凹部７３をテーパ状に形成でき、従来の矩形の凹部を形成している場合に比較して当該背面下部の肉厚の低減を防いでペンタミラー７の機械的な強度を確保することも可能である。これと同時にシャッタープロック３を後方に後退させる必要もなく、カメラの小型化を図ることもできる。また、特許文献１のような透光素子は不要であるので、この点でもカメラの小型化を図ることができる。
【００２５】
実施例では表示ブロック２の表示面がペンタミラー７の入射面に対してなす角度を８０°に設定しているが、この角度を６５°から８５°の範囲で適宜に設定することが可能である。角度を小さくすれば表示プリズム９による偏向角をより大きくして表示プリズム９の反射面の寸法を低減し、ファインダ視野内での被写体像の視野率を高める上で有効である。一方、角度が大きければ被写体像の視野率を高めるとともに表示ブロック２の前後方向の寸法が短くなり、カメラの前後方向の寸法を小さくする上で有効である。したがって、カメラに要求される特性に応じて前記角度を設定することが好ましい。
【００２６】
実施例では本発明をデジタル一眼レフカメラに適用しているが、感光フィルム、特に銀塩フィルを用いる一眼レフカメラにおいても同様に適用できる。また、ペンタミラーに代えてペンタプリズムを用いる一眼レフカメラについても同様に適用できることは言うまでもない。
【図面の簡単な説明】
【００２７】
【図１】本発明を適用した一眼レフカメラの内部構体の正面図である。
【図２】図１のＡ−Ａ線断面図である。
【図３】ミラーボックス、表示ブロック、シャッターブロックの分解図である。
【図４】カメラ内部構体の部分分解斜視図である。
【図５】カメラ内部構体の要部の拡大断面図である。
【図６】従来と本発明の各ファインダ視野内の視野枠を示す図である。
【図７】従来のカメラ内部構体の一部の拡大断面図である。
【符号の説明】
【００２８】
１  ミラーボックス
２  表示ブロック
３  シャッターブロック
４  レンズマウント
５  メインミラー
６  ピントガラス
７  ペンタミラー
８  接眼光学系
９  表示プリズム
１０  ファインダ視野枠板
【図１】
2006337782.tif 000003
【図２】
2006337782.tif 000004
【図３】
2006337782.tif 000005
【図４】
2006337782.tif 000006
【図５】
2006337782.tif 000007
【図６】
2006337782.tif 000008
【図７】
2006337782.tif 000009